(57)【要約】【課題】  所定の間隔を隔てて並設される支柱間に複数枚の防音パネルを容易に設置することができる、防音パネル構造体を提供する。【解決手段】  所定の間隔を隔てて並設される複数本の支柱２と、これらの支柱２の表面２１に固定されて前記支柱表面２１との隙間を左右両側の上下方向に連続的に形成してなるガイドレール４と、このガイドレール４に沿って上下方向にスライド可能に保持される複数枚の防音パネル３とからなる防音パネル構造体１であって、前記防音パネル３には、前記ガイドレール４にスライド可能に嵌め入れられる左右一対のガイド片３２が少なくとも上下に一対ずつ設けられているとともに、前記ガイドレール４には、上下方向の途中位置に前記ガイド片３２を嵌め入れ可能な途中嵌入用切欠４５が形成されている。【選択図】  図６
2019143341.tif 000002
【特許請求の範囲】
【請求項１】
所定の間隔を隔てて並設される複数本の支柱と、これらの支柱の表面に固定されて前記支柱表面との隙間を左右両側の上下方向に連続的に形成してなるガイドレールと、このガイドレールに沿って上下方向にスライド可能に保持される複数枚の防音パネルとからなる防音パネル構造体であって、
前記防音パネルには、前記ガイドレールにスライド可能に嵌め入れられる左右一対のガイド片が少なくとも上下に一対ずつ設けられているとともに、前記ガイドレールには、上下方向の途中位置に前記ガイド片を嵌め入れ可能な途中嵌入用切欠が形成されている、前記防音パネル構造体。
【請求項２】
前記防音パネルの上端面および下端面には、各上下端面の外縁形状に沿って凹状に形成された嵌合凹部または前記外縁形状に沿って凸状に形成された嵌合凸部のいずれかがそれぞれ形成されており、上下に重ねて配置される他の防音パネルの前記嵌合凸部または前記嵌合凹部と嵌合可能に構成されている、請求項１に記載の防音パネル構造体。
【請求項３】
前記ガイドレールは、前記支柱との隙間を形成するために前記支柱表面の左右中央位置に上下方向にわたって貼付される長尺状のスペース板部と、このスペース板部の表面に貼付されるとともに前記ガイド片を上下にスライド可能に保持するために前記スペース板部よりも左右に拡幅された大きさのレール羽根部とを備えている、請求項１または請求項２に記載の防音パネル構造体。
【請求項４】
前記ガイドレールには、最下段に保持される前記防音パネルの下方側に設けられた左右一対の前記ガイド片を掛止する最下段パネル掛止部が形成されている、請求項１から請求項３のいずれかに記載の防音パネル構造体。
【発明の詳細な説明】
【技術分野】
【０００１】
本発明は、立設された支柱間に防音壁を構成する防音パネル構造体に関するものであり、特に空調機器の室外機の周辺に配置するのに好適な防音パネル構造体に関する。
【背景技術】
【０００２】
空調機器の室外機は送風ファンを備えており、駆動音や送風による風の音によって騒音が発生する。特に、オフィスビルやショッピングセンター、大型の病院などに設置される大型の室外機は大きな騒音を発するため防音対策を施す必要がある。
【０００３】
従来、このような室外機の防音対策として、前記室外機を囲むように複数本の支柱を立設し、各支柱間を跨ぐように複数枚の防音パネルを締結固定する防音パネル構造が採用されている。また、特開２００８−１３８４３８号公報では、支柱との間に間隔をおいた状態でレール部材を配置し、このレール部材に防音パネルを嵌入した、防音パネルの取付構造が提案されている（特許文献１）。
【先行技術文献】
【特許文献】
【０００４】
【特許文献１】特開２００８−１３８４３８号公報
【発明の概要】
【発明が解決しようとする課題】
【０００５】
しかしながら、複数枚の防音パネルを支柱に直接締結する構造では、防音パネル同士の配置調整を行ってから締結する必要があり、施工には防音パネルを所定の位置に保持する作業員や締結作業する作業員といった複数の人員を要する。また、防音効果を得るためには防音パネルを隙間なく配置する必要があり、慎重な作業が求められる。これらのため、施工人員の増加や施工時間の超過など、施工費用が高くコスト面で問題になっている。また、このような構造では、ボルトが弛むと防音パネルが落下してしまうという問題もある。
【０００６】
また、特許文献１に記載された発明においては、複数枚の防音パネルを設置する場合、レール部材の上端部から所定の位置までスライド移動させなければならないという問題がある。特に、防音パネルを上下方向に段積みさせる場合には、防音パネルをレール部材の最上端まで持ち上げて嵌め入れる必要があり、作業負担が大きい。
【０００７】
本発明は、以上のような問題点を解決するためになされたものであって、所定の間隔を隔てて並設される支柱間に複数枚の防音パネルを容易に設置することができる、防音パネル構造体を提供することを目的としている。
【課題を解決するための手段】
【０００８】
本発明に係る防音パネル構造体は、ガイドレールに沿って上下方向にスライド可能に保持される防音パネルを前記ガードレールの上下方向の途中位置から嵌め入れられるようにするという課題を解決するために、所定の間隔を隔てて並設される複数本の支柱と、これらの支柱の表面に固定されて前記支柱表面との隙間を左右両側の上下方向に連続的に形成してなるガイドレールと、このガイドレールに沿って上下方向にスライド可能に保持される複数枚の防音パネルとからなる防音パネル構造体であって、前記防音パネルには、前記ガイドレールにスライド可能に嵌め入れられる左右一対のガイド片が少なくとも上下に一対ずつ設けられているとともに、前記ガイドレールには、上下方向の途中位置に前記ガイド片を嵌め入れ可能な途中嵌入用切欠が形成されている。
【０００９】
また、本発明の一態様として、上下方向に段積みされる防音パネル同士の隙間をなくし防音効果を高めるという課題を解決するために、前記防音パネルの上端面および下端面には、各上下端面の外縁形状に沿って凹状に形成された嵌合凹部または前記外縁形状に沿って凸状に形成された嵌合凸部のいずれかがそれぞれ形成されており、上下に重ねて配置される他の防音パネルの前記嵌合凸部または前記嵌合凹部と嵌合可能に構成されていることが好ましい。
【００１０】
さらに、本発明の一態様として、簡単な構成によってガイドレールを支柱に構成するという課題を解決するために、前記ガイドレールは、前記支柱との隙間を形成するために前記支柱表面の左右中央位置に上下方向にわたって貼付される長尺状のスペース板部と、このスペース板部の表面に貼付されるとともに前記ガイド片を上下にスライド可能に保持するために前記スペース板部よりも左右に拡幅された大きさのレール羽根部とを備えている。
【００１１】
また、本発明の一態様として、最下段に保持される防音パネルの上下方向の位置調整を容易にするという課題を解決するために、前記ガイドレールには、最下段に保持される前記防音パネルの下方側に設けられた左右一対の前記ガイド片を掛止する最下段パネル掛止部が形成されていることが好ましい。
【発明の効果】
【００１２】
本発明によれば、所定の間隔を隔てて並設される支柱間に複数枚の防音パネルを容易に設置することができる。
【図面の簡単な説明】
【００１３】
【図１】本発明に係る防音パネル構造体の一実施形態を示す斜視図である。
【図２】本実施形態における防音パネルを示す斜視図である。
【図３】本実施形態における防音パネルを示す横断面図である。
【図４】本実施形態における支柱およびガイドレールの構成を示す斜視図である。
【図５】本実施形態における支柱に設けられたガイドレールを示す横断面図である。
【図６】本実施形態において最下段の防音パネルをガイドレールに嵌め入れる状態を示す斜視図である。
【図７】本実施形態において下から２段目の防音パネルをガイドレールに嵌め入れる状態を示す斜視図である。
【図８】本実施形態において中空壁用アンカーによって防音パネルを支柱に締結固定した状態を示す縦断面図である。
【発明を実施するための形態】
【００１４】
以下、本発明に係る防音パネル構造体の一実施形態について図面を用いて説明する。
【００１５】
本実施形態の防音パネル構造体１は、図１に示すように、室外機等の音を発するものを囲むように立設される複数本の支柱２と、これら支柱２間に配置される複数枚の防音パネル３と、これら防音パネル３を前記支柱２に保持させるガイドレール４とを有する。以下、各構成について詳細に説明する。
【００１６】
支柱２は、ガイドレール４および防音パネル３を支持するものであり、本実施形態では、Ｈ鋼を利用して構成されている。各支柱２は室外機等の防音対策の対象物を囲むように所定の間隔を隔てて立設されている。各支柱２は、図示しないが、地面や床面に設けられた基礎に固定され、または地面や床面に直接的に固定されている。
【００１７】
防音パネル３は、図２に示すように、防音機能を有する防音パネル本体３１と、ガイドレール４にスライド可能に嵌め入れられるガイド片３２とを有する。
【００１８】
防音パネル本体３１は、防音機能を備えた部分であり、本実施形態では、図３に示すように、横断面形状が横長矩形状の略直方体形状に形成されている。また、外側は金属板材または樹脂製板材等によって構成されており、内部には防音材３３が詰め込まれている。
【００１９】
防音材３３は、防音効果を高めるものであり、一般的に防音材として使用される、石膏ボードや合板などの比較的硬い素材からなる遮音材、グラスウールや発泡ウレタンなどの比較的柔らかい素材からなる吸音材またはゴムなどの空気の振動を抑える防振材等から適宜選択される。なお、内部空間の音の反響によって防音効果が得られる場合は、内部に防音材３３を設けずに中空状態であってもよい。
【００２０】
また、本実施形態における防音パネル３の上端面３４および下端面３５には、上下に重ねて配置される他の防音パネル３との隙間をなくし、高い防音効果を得られるように連結するため、各上下端面３４，３５の外縁形状に沿って凹状に形成された嵌合凹部３６または前記外縁形状に沿って凸状に形成された嵌合凸部３７のいずれかがそれぞれ設けられている。
【００２１】
本実施形態における嵌合凹部３６は、図２に示すように、防音パネル本体３１の上端面３４に形成されている。この嵌合凹部３６は、上端面３４から外縁形状に沿って所定の深さに形成されている。本実施形態では、防音パネル本体３１は横断面形状が横長矩形状であるため、嵌合凹部３６も、横断面形状が横長矩形状の凹溝状に形成されている。
【００２２】
一方、嵌合凸部３７は、防音パネル本体３１の下端面３５に形成されており、前記嵌合凹部３６と嵌合できるように、下端面３５から外縁形状に沿って横断面形状が横長矩形状の凸状に形成されている。
【００２３】
なお、嵌合凹部３６および嵌合凸部３７は、上端面３４および下端面３５のいずれの面に形成してもよく、本実施形態とは逆の下端面３５に嵌合凹部３６を形成し、上端面３４に嵌合凸部３７を形成してもよい。
【００２４】
また、ガイド片３２は、防音パネル本体３１をガイドレール４に沿って上下にスライドさせるための凸片であり、防音パネル本体３１から左右方向に突出形成されている。本実施形態におけるガイド片３２は、略矩形板状に形成されており、ガイドレール４に沿って上下方向にスライドできるように板面が垂直方向と平行するように設けられている。また、ガイド片３２には、支柱２に締結するためのボルト孔３８が形成されている。なお、ガイド片３２の形状は、略矩形板状に限定されるものではなく、例えば、円筒や円柱からなる棒状に形成されていてもよい。
【００２５】
また、ガイド片３２は、ガイドレール４に沿って安定的にスライド移動させられるように左右一対で構成されており、これらが少なくとも上下に一対ずつ設けられている。本実施形態では、図２に示すように、防音パネル本体３１の四隅近傍にそれぞれ設けられている。なお、ガイド片３２を上下中央位置にもう一対設けてもよい。
【００２６】
ガイドレール４は、防音パネル３を上下方向にスライド可能に保持するものであり、支柱２の表面２１に固定されて前記支柱表面２１との隙間を左右両側の上下方向に連続的に形成してなるものである。本実施形態におけるガイドレール４は、図４に示すように、支柱表面２１の左右中央位置に上下方向にわたって貼付される長尺状のスペース板部４１と、このスペース板部４１の下端において最下段に保持される防音パネル３を掛止する最下段パネル掛止部４２と、前記スペース板部４１の表面４３に貼付されるレール羽根部４４とを有する。
【００２７】
スペース板部４１は、支柱２との隙間を形成することでガイド片３２をスライド可能なスペースを形成するためのものである。また、スペース板部４１を並設される支柱２，２にそれぞれ設けることで防音パネル３の左右方向の位置決めをする役割も果たしている。本実施形態におけるスペース板部４１は、ガイド片３２を上下にスライドさせるための隙間を形成するため、前記ガイド片３２の厚さよりも若干厚い寸法に形成されている。
【００２８】
また、スペース板部４１は、設置される支柱表面２１の左右幅より狭い幅に形成されており、支柱２の左右略中央位置に上下方向に沿って設けられている。これにより、前記支柱表面２１の左右両縁には、スペース板部４１が設けられていない面が残り、この残りの支柱表面２１と、レール羽根部４４とにより防音パネル３のガイド片３２を案内するようになっている。
【００２９】
最下段パネル掛止部４２は、ガイドレール４に嵌め入れられた防音パネル３の下方側に設けられた左右一対のガイド片３２を掛止することで、最下段に保持される防音パネル３の上下方向の位置決めをするものである。本実施形態における最下段パネル掛止部４２は、スペース板部４１の左右下端部から左右両側に略矩形状に延出形成されている。
【００３０】
なお、最下段パネル掛止部４２の形状は略矩形状に限定されるものではなく、防音パネル３のガイド片３２を掛止可能な形状から適宜選択してもよい。また、最下段パネル掛止部４２はスペース板部４１の左右両側に形成される構成に限定されるものではなく、防音パネル３が配置される左右いずれかの一方側のみに形成されていてもよい。
【００３１】
レール羽根部４４は、スペース板部４１の左右に残された支柱表面２１とともに防音パネル３のガイド片３２を上下にスライド可能に保持するためのものであり、前記スペース板部４１の表面４３に貼付されるとともに前記スペース板部４１よりも左右に拡幅された大きさに形成されている。
【００３２】
これにより、本実施形態のガイドレール４は、図５に示すように、このレール羽根部４４、スペース板部４１およびこのスペース板部４１の左右に残された支柱表面２１によって横断面形状が略コの字状のガイドスペースを構成し、ガイド片３２を上下にスライド可能に保持できるようになっている。
【００３３】
また、レール羽根部４４には、図１および図４に示すように、上下方向の途中位置に前記ガイド片３２を嵌め入れ可能な途中嵌入用切欠４５が形成されている。
【００３４】
途中嵌入用切欠４５は、ガイド片３２をレール羽根部４４、スペース板部４１および支柱表面２１によって形成されたスペースに嵌め入れることができるように、レール羽根部４４の左右縁部４６をガイド片３２の形状に合わせて切り欠き状に形成されている。本実施形態における途中嵌入用切欠４５は、ガイド片３２の形状に合わせて略矩形凹状に形成されており、防音パネル３の四隅に設けられた各ガイド片３２を側方から一度に嵌め入れられるように、ガイド片３２の上下間隔と同じ間隔を隔てて形成されている。
【００３５】
また、本実施形態では、上下２枚の防音パネル３を嵌め入れられるように各防音パネル用の途中嵌入用切欠４５が形成されている。そのため、レール羽根部４４の右縁部４６ａおよび左縁部４６ｂには、それぞれ４箇所に途中嵌入用切欠４５が形成されている。このとき、途中嵌入用切欠４５からガイド片３２を嵌め入れて防音パネル３を設置する際に、下端面３５に設けられた嵌合凸部３７がガイドレール４に既に設置された下方の防音パネル３に干渉しないように、下方に配置される防音パネル用の途中嵌入用切欠４５の上方側（下方から数えて２番目の途中嵌入用切欠４５）と、上方に配置される防音パネル用の途中嵌入用切欠４５の下方側（下方から数えて３番目の途中嵌入用切欠４５）との間は、前記嵌合凸部３７の上下高さ寸法よりも上下方向に離して配置されている。
【００３６】
さらに、最下段に保持される防音パネル３を嵌め入れる途中嵌入用切欠４５のうち下方側の途中嵌入用切欠４５は、嵌め込まれてから最下段パネル掛止部４２に掛止させるまでの防音パネル３の下方へのスライド量を少なくするため、最下段パネル掛止部４２によりガイド片３２を掛止する位置よりも僅かに上方位置に形成されている。
【００３７】
また、本実施形態における途中嵌入用切欠４５は、支柱２を挟んで左右何れにも防音パネル３を挿入できるように、レール羽根部４４の左右両縁部４６ａ，４６ｂに左右対称となるように形成されている。
【００３８】
なお、本実施形態におけるスペース板部４１およびレール羽根部４４は、それぞれ部材の構成として説明しているが、別部材による構成に限定されるものではなく、一体に形成されていてもよい。
【００３９】
次に、本実施形態の防音パネル構造体１における各構成の作用について設置手順に沿って説明する。
【００４０】
まず、複数本の支柱２を防音対策を行う対象の周囲に所定の間隔を隔てて並設する。
【００４１】
次に、ガイドレール４を各支柱２の表面２１に対して左右対称に設ける。具体的には、スペース板部４１を最下段パネル掛止部４２側を下方にして支柱表面２１の左右中央位置に上下方向にわたって貼付する。そして、レール羽根部４４をスペース板部４１の表面４３に中心位置同士が一致するように貼付する。本実施形態では、スペース板部４１およびレース羽根部４４は、ボルトおよびナットによって支柱表面２１およびスペース板部表面４３に貼付する。なお、貼付方法は、ボルトおよびナットによるものに限定されるもではなく、溶接や接着材等によって貼付してもよい。
【００４２】
次に、防音パネル３を、下方から順次配置する。最下段に保持される防音パネル３は、図６に示すように、下方から１段目および２段目に形成された途中嵌入用切欠４５に防音パネル３の四隅に設けられたガイド片３２を嵌め入れ、下方にスライドさせる。
【００４３】
最下段パネル掛止部４２では、防音パネル３の下方側に設けられた左右一対のガイド片３２をその上端部４７で掛止し、下方への動きを制限する。これにより、最下段に配置される防音パネル３の上下方向の位置が決まる。また、防音パネル３のガイド片３２は、図５に示すように、スペーサー板部４１、レール羽根部４４および支柱表面２１によって前後左右の動きが制限される。よって、最下段に配置される防音パネル３は、途中嵌入用切欠４５を介して嵌め入れ、下方にスライドさせるだけで、位置決めが完了する。
【００４４】
次に、下から２段目の防音パネル３を設置する。具体的には、図７に示すように、下から３番目および４番目に配置された２段目防音パネル用の途中嵌入用切欠４５に各ガイド片３２を嵌め入れる。このとき、下から２番目の途中嵌入用切欠４５と下から３番目の途中嵌入用切欠４５との間隔が十分に取られているため防音パネル３の嵌合凸部３７が下方に既に配置された最下段の防音パネル３と干渉することなく嵌め入れることができる。嵌め入れられた２段目の防音パネル３を下方にスライドさせる。
【００４５】
下端面３５に形成された嵌合凸部３７は、下段に既に配置された最下段の防音パネル３の上端面３４に形成された嵌合凹部３６に嵌め入れられる。これにより、図１に示すように、２段目の防音パネル３の下端面３５と、１段目の防音パネル３の上端面３４とが隙間なく連結され、防音効果が高められる。
【００４６】
そして、各防音パネル３を支柱２に締結固定する。このとき、例えば、図８に示すように、壁面の裏側に配置されると重力によって自動的に回転する回転挟持片５１を備え、前記回転挟持片５１とナット５２とにより締結物を挟持することのできる中空壁用アンカー５を用いることにより、前面側からのみの締結作業で防音パネル３を支柱２に締結固定することができる。
【００４７】
また、図示しないが、防音パネル３を支柱２に締結固定した後は、支柱２からガイドレール４を取り外してもよい。本実施形態では、防音パネル３のガイド片３２の前後左右の動きを制限する構成の一面を支柱２によって構成したため、防音パネル３を支柱２に固定したままガイドレール４のみを取り外すことができる。
【００４８】
以上のような本実施形態の防音パネル構造体１によれば、以下の効果を奏することができる。
１．途中嵌入用切欠４５を介してガイドレール４の上下途中位置から防音パネル３を嵌め入れることができるため、防音パネル３を最上端まで持ち上げる必要がなく、施工を容易にすることができる。
２．ガイドレール４に嵌め入れられた防音パネル３は、下方にスライドさせるだけで、支柱２、ガイドレール４とともに、最下段パネル掛止部４２または設置済みの下段の防音パネル３によって、左右方向、前後方向および下方向の動きが制限されるため、位置決めを完了させることができる。
３．位置決めされた防音パネル３は、左右方向、前後方向および下方向の動きが制限されており防音パネル３から手を離した状態でも位置がずれないため、一人でも施工を行うことができる。
４．防音パネル３を支柱２に締結しているボルトが仮に弛んだとしても、ガイドレール４によって前後方向の動きが制限されているため、防音パネル３が落下することがない。
５．ガイドレール４を支柱表面２１に貼付されるスペース板部４１と、このスペース板部４１の表面４３に貼付されるレール羽根部４４とによって構成したことにより、支柱２との隙間を容易に形成することができるとともに、取り外す場合も防音パネル３を支柱２に固定したまま取り外すことができる。
６．防音パネル３の上下端面３４，３５が嵌合凹部３６および嵌合凸部３７による嵌め込み式になっているため、防音パネル３同士を隙間なく設置することができ、防音効果を高めることができる。
【００４９】
なお、本発明に係る防音パネル構造体は、前述した実施形態に限定されるものではなく、適宜変更することができる。例えば、本実施形態では防音パネル３を上下２段に配置する構成を説明したが、防音パネル３は上下３段以上であってもよい。
【符号の説明】
【００５０】
１  防音パネル構造体
２  支柱
３  防音パネル
４  ガイドレール
５  中空壁用アンカー
２１  支柱表面
３１  防音パネル本体
３２  ガイド片
３３  防音材
３４  上端面
３５  下端面
３６  嵌合凹部
３７  嵌合凸部
３８  ボルト孔
４１  スペース板部
４２  最下段パネル掛止部
４３  スペース板部表面
４４  レール羽根部
４５  途中嵌入用切欠
４６  左右縁部
４６ａ  右縁部
４６ｂ  左縁部
４７  最下段パネル掛止部上端部
５１  回転挟持片
５２  ナット
【図１】
2019143341.tif 000003
【図２】
2019143341.tif 000004
【図３】
2019143341.tif 000005
【図４】
2019143341.tif 000006
【図５】
2019143341.tif 000007
【図６】
2019143341.tif 000008
【図７】
2019143341.tif 000009
【図８】
2019143341.tif 000010